【手続補正書】
【提出日】平成15年7月31日(2003.7.31)
【手続補正１】
【補正対象書類名】明細書
【補正対象項目名】発明の名称
【補正方法】変更
【補正の内容】
【発明の名称】  インクカートリッジ


【手続補正２】
【補正対象書類名】明細書
【補正対象項目名】特許請求の範囲
【補正方法】変更
【補正の内容】
【特許請求の範囲】
【請求項１】
形成されるドットの混在の状態を変えることにより所定範囲の色相を表現可能な印刷装置に装着して用いられるインクカートリッジであって、
該インクカートリッジの底部に、インクを吐出用ヘッドに導く導入管が挿入される接続孔を備え、
該接続孔に連通するインクタンクに、印刷用に用意されたシアン，マゼンタのインクと組み合わされて三原色を構成するイエロインクが収納され、
該イエロのインクの濃度が、組み合わされて三原色を構成するシアン，マゼンタのインクと比べて、単位面積当たりの記録率が等しい場合にバランスする濃度より高く設定された
インクカートリッジ。
【請求項２】
請求項１記載のインクカートリッジであって、
前記イエロのインクの収容量は、前記組み合わされて三原色を構成するシアン，マゼンタのインクの収容量と同等または少ない容量であるインクカートリッジ。
【請求項３】
請求項１または請求項２記載のインクカートリッジであって、
前記イエロのインクの濃度を、前記組み合わされて三原色を構成するシアン，マゼンタのインクとバランスする濃度より１．１ないし４倍の範囲で高くした
インクカートリッジ。
【請求項４】
請求項３記載のインクカートリッジであって、
前記イエロのインクの濃度を、前記組み合わされて三原色を構成するシアン，マゼンタのインクとバランスする濃度の１．５倍程度の高濃度に設定した
インクカートリッジ。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
【課題を解決するための手段およびその作用・効果】
本発明のインクカートリッジは、
形成されるドットの混在の状態を変えることにより所定範囲の色相を表現可能な印刷装置に装着して用いられるインクカートリッジであって、
該インクカートリッジの底部に、インクを吐出用ヘッドに導く導入管が挿入される接続孔を備え、
該接続孔に連通するインクタンクに、印刷用に用意されたシアン，マゼンタのインクと組み合わされて三原色を構成するイエロインクが収納され、
該イエロのインクの濃度が、組み合わされて三原色を構成すするシアン，マゼンタのインクと比べて、単位面積当たりの記録率が等しい場合にバランスする濃度より高く設定されたこと
を要旨としている。
かかるインクカートリッジでは、底部に設けられた接続孔に挿入された導入管から吐出用ヘッドに導かれるインクタンク内のイエロのインクは、イエロのインクの濃度が組み合わされて三原色を構成する他のインクであるシアン，マゼンタのインクと比べて、単位面積当たりの記録率を等しくした場合にバランスする濃度より高く設定されているので、イエロのインクの使用量を低減することができ、結果的に、用紙に対するインクデューティの制限に対して余裕を持たせることができる。
【手続補正１９】
【補正対象書類名】明細書
【補正対象項目名】００２２
【補正方法】変更
【補正の内容】
【００２２】
こうしたインクカートリッジでは、イエロのインクの収容量を、組み合わされて三原色を構成する他のインクの収容量と同等または少ない容量とすることができる。イエロのインクの濃度が高められており、その体積的な使用量は低減されるからである。したがって、同じ記録率当たりの明度が最も高いインクまたは粒状化の視認性が最も低いインクであるイエロのインクの収容量を、組み合わされて三原色を構成する他のインクと同等または少ない容量とすることにより、各色インクを使い切るまでの期間を同程度にすることができる。更に、イエロのインクの濃度を、三原色の他のインクとバランスする濃度より１．１ないし４倍の範囲で高くすることができる。濃度が１．１倍未満では、濃度を高めたことによる効果が期待できず、４倍より高くすると、粒状性が感じられてしまう。染料濃度の調整は容易なので、簡単に色バランスを所望の偏りにすることができる。
【手続補正２０】
【補正対象書類名】明細書
【補正対象項目名】００２３
【補正方法】変更
【補正の内容】
【００２３】
また、明度が最も高いインクまたは粒状化の視認性が最も低いインクであるイエロｋインク以外のインクであるシアン，マゼンタのインクについて、濃淡２種類以上用意する場合には、濃淡各インク自体の使用量は少なくなるので、イエロのインクの容量を、これらの濃淡各色のインク容量より多くすることも有用である。


【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】変更
【補正の内容】
【００２８】
【発明の実施の形態】
次に、本発明の実施の形態を実施例に基づき説明する。図１は、この発明の一実施例であるインクカートリッジを使用するプリンタ２０の概略構成図である。図示するように、このプリンタ２０は、紙送りモータ２２によって用紙Ｐを搬送する機構と、キャリッジモータ２４によってキャリッジ３０をプラテン２６の軸方向に往復動させる機構と、キャリッジ３０に搭載された印字ヘッド２８を駆動してインクの吐出およびドット形成を制御する機構と、これらの紙送りモータ２２，キャリッジモータ２４，印字ヘッド２８および操作パネル３２との信号のやり取りを司る制御回路４０とから構成されている。